(57)【要約】【課題】積層体にて形成される複数の区画室から少なくとも吸収器と蒸発器とを構成する吸収式冷凍機において、冷媒蒸気の流速を低減でき、吸収冷凍サイクルの効率を向上できる吸収式冷凍機を提供する。【解決手段】第１外板１８、第１区画体１９、第１伝熱板２０、第２区画体２１、第２伝熱板２２、第３区画体３６、第２外板３７を順に積層して第１積層体１１が形成され、第２区画体２１には、積層方向で第１伝熱板２０側と第２伝熱板２２側との間を遮蔽する遮蔽板４０が、その両側方部位で第１伝熱板２０側と第２伝熱板２２側とを連通する一対の連通路３３ｈ、３３ｉを形成する状態で設けられている。【選択図】図２
2015175571.tif 000002
【特許請求の範囲】
【請求項１】
蒸発器、吸収器、再生器、凝縮器、溶液熱交換器を備えた吸収式冷凍機であって、
第１外板、第１区画体、第１伝熱板、第２区画体、第２伝熱板、第３区画体、第２外板を順に積層して第１積層体が形成され、
前記第２区画体には、積層方向で前記第１伝熱板側と前記第２伝熱板側との間を遮蔽する遮蔽板が、その両側方部位で前記第１伝熱板側と前記第２伝熱板側とを連通する一対の連通路を形成する状態で設けられ、
前記第１積層体には、前記第１区画体及び前記第２区画体により、前記第１伝熱板を挟んで対向位置する一対の流体通流室を一組とする第１対向室モジュールが複数形成される共に、前記第２区画体及び前記第３区画体により、前記第２伝熱板を挟んで対向位置する一対の流体通流室を一組とする第２対向室モジュールが複数形成され、
前記第１積層体には、複数の前記流体通流室の夫々へ流体を流入可能な流入部、及び複数の前記流体通流室の夫々から流体を流出可能な流出部が備えられ、
前記第１対向室モジュールの少なくとも１つを前記蒸発器として機能させ、前記第２対向室モジュールの少なくとも１つを前記吸収器として機能させ、前記蒸発器と前記吸収器とを前記遮蔽板を挟んで対向する状態で備えると共に、一対の前記連通路が冷媒蒸気の流路とする吸収式冷凍機。
【請求項２】
前記第２区画体において積層方向で前記遮蔽板により遮蔽され前記第１伝熱板側に形成される前記流体通流室は、前記再生器にて再生された濃吸収液が前記流入部から流入して通流する吸収液通流室として構成され、前記第２区画体において積層方向で前記遮蔽板により遮蔽され前記第２伝熱板側に形成される前記流体通流室は、前記凝縮器にて凝縮された冷媒が前記流入部から流入して通流する冷媒通流室として構成され、
一対の前記連通路の夫々は、前記冷媒通流室にて蒸発した冷媒蒸気を、前記吸収液通流室へ導く請求項１に記載の吸収式冷凍機。
【請求項３】
前記冷媒通流室へ流体を流入する前記流入部は上下方向で上方側に設けられ、前記冷媒通流室から流体を流出する前記流出部は上下方向で下方側に設けられ、
一対の前記連通路の夫々は、上下方向に延びるスリット状に形成されている請求項２に記載の吸収式冷凍機。
【請求項４】
流体を一時的に貯留可能な貯留空間が、前記第１区画体にて区画される第１貯留空間、前記第２区画体にて区画される第２貯留空間、前記第３区画体にて区画される第３貯留空間として、前記第１貯留空間と前記第２貯留区間と前記第３貯留空間とを連通する状態で設けられ、
前記吸収液通流室は、その下方側にて前記貯留空間に連通接続されている請求項２又は３に記載の吸収式冷凍機。
【請求項５】
前記第１積層体は、前記第１外板と前記第１区画体との間、又は、前記第３区画体と前記第２外板との間に、追加区画体及び追加伝熱板とから成る単位追加体を追加して積層自在に構成され、
前記追加区画体と前記追加伝熱板と前記第１外板、又は、前記追加区画体と前記追加伝熱板と前記第２外板は、追加流体通流室を形成自在に構成されている請求項１〜４の何れか一項に記載の吸収式冷凍機。
【請求項６】
前記第１積層体は、前記第１外板、前記第１区画体、前記第１伝熱板、前記第２区画体、前記第２伝熱板、前記第３区画体、前記第２外板をロウ付けにより互いを接着させて製造され、前記吸収器と前記蒸発器と前記凝縮器として働く第１単位モジュールである請求項１〜５の何れか一項に記載の吸収式冷凍機。
【発明の詳細な説明】
【技術分野】
【０００１】
本発明は、蒸発器、吸収器、再生器、凝縮器、溶液熱交換器を備えた吸収式冷凍機に関する。
【背景技術】
【０００２】
従来、吸収式冷凍機は、例えば、第１種ヒートポンプ型であれば、蒸発器から気化した冷媒を吸収器で濃吸収液に吸収させ、これらが混合された希吸収液を再生器へ送り加熱することで、濃吸収液と冷媒とに分離され、濃吸収液は吸収器へ導かれる。
一方、分離された冷媒は、凝縮器に送られ冷却され凝縮する。このようにして得られた冷媒は膨張弁を経由して蒸発器へ送られて蒸発することで、当該蒸発器を通流する冷凍（冷房）用に供される冷却用水を冷却する。
【０００３】
このような吸収式冷凍機では、従来、第１外板、第１区画体、第１伝熱板、第２区画体、第２外板を順に積層して積層体を構成すると共に、当該積層体が、第１外板と第１区画体と第１伝熱板により区画される第１区画室と、第１伝熱板と第２区画体と第２外板により区画される第２区画室とを有し、当該第１区画室及び第２区画室が、吸収器と蒸発器と凝縮器として働く構成が採用されている。
【先行技術文献】
【特許文献】
【０００４】
【特許文献１】特開２０１２−２０２５６４号公報
【発明の概要】
【発明が解決しようとする課題】
【０００５】
しかしながら、上記特許文献１に開示の技術にあっては、第１区画室の上下方向に延びる扁平形状の室において、水平方向で一方側に冷媒とそれが蒸発した冷媒蒸気とが通流する冷媒通流室が形成されると共に、水平方向で他方側に冷媒蒸気を吸収する吸収液が通流する吸収液通流室が形成されていた。このため、冷媒蒸気は、冷媒通流室と吸収液通流室との間の比較的狭い領域を介して、冷媒通流室から吸収液通流室の側へ導かれていた。
このため、冷媒蒸気の流速が速くなり、吸収冷凍サイクルの効率が低下するという問題があった。
【０００６】
本発明は、上述の課題に鑑みてなされたものであり、その目的は、積層体にて形成される複数の区画室から少なくとも吸収器と蒸発器とを構成する吸収式冷凍機において、冷媒蒸気の流速を低減でき、吸収冷凍サイクルの効率を向上できる吸収式冷凍機を提供することにある。
【課題を解決するための手段】
【０００７】
上記目的を達成するための本発明に係る吸収式冷凍機は、
蒸発器、吸収器、再生器、凝縮器、溶液熱交換器を備えた吸収式冷凍機であって、その特徴構成は、
第１外板、第１区画体、第１伝熱板、第２区画体、第２伝熱板、第３区画体、第２外板を順に積層して第１積層体が形成され、
前記第２区画体には、積層方向で前記第１伝熱板側と前記第２伝熱板側との間を遮蔽する遮蔽板が、その両側方部位で前記第１伝熱板側と前記第２伝熱板側とを連通する一対の連通路を形成する状態で設けられ、
前記第１積層体には、前記第１区画体及び前記第２区画体により、前記第１伝熱板を挟んで対向位置する一対の流体通流室を一組とする第１対向室モジュールが複数形成される共に、前記第２区画体及び前記第３区画体により、前記第２伝熱板を挟んで対向位置する一対の流体通流室を一組とする第２対向室モジュールが複数形成され、
前記第１積層体には、複数の前記流体通流室の夫々へ流体を流入可能な流入部、及び複数の前記流体通流室の夫々から流体を流出可能な流出部が備えられ、
前記第１対向室モジュールの少なくとも１つを前記蒸発器として機能させ、前記第２対向室モジュールの少なくとも１つを前記吸収器として機能させ、前記蒸発器と前記吸収器とを前記遮蔽板を挟んで対向する状態で備えると共に、一対の前記連通路が冷媒蒸気の流路とする点にある。
【０００８】
上記特徴構成によれば、第１外板、第１区画体、第１伝熱板、第２区画体、第２伝熱板、第３区画体、第２外板を順に積層して第１積層体を形成することにより、第１区画体及び第２区画体により、第１伝熱板を挟んで対向位置する一対の流体通流室を一組とする第１対向室モジュールが複数形成できる共に、第２区画体及び第３区画体により、第２伝熱板を挟んで対向位置する一対の流体通流室を一組とする第２対向室モジュールが複数形成できる。流入部は、複数の流体通流室の夫々に対して流体を流入可能であるので、第１伝熱板を挟んで一方側に導かれる流体と他方側に導かれる流体とを熱交換できると共に、第２伝熱板を挟んで一方側に導かれる流体と他方側に導かれる流体とを熱交換できる。これにより、複数の第１対向室モジュールの少なくとも１つを蒸発器として機能させ、複数の第２対向室モジュールの少なくとも一つを吸収器として機能させ、蒸発器と吸収器とを遮蔽板を挟んで対向する状態で備えることができる。
そして、第２区画体には、積層方向で第１伝熱板側と第２伝熱板側との間を遮蔽する遮蔽板が、その両側方部位で第１伝熱板側と第２伝熱板側とを連通する一対の連通路を形成する状態で設けられているから、第２区画体において積層方向で遮蔽板により遮蔽され第１伝熱板側に形成される流体通流室を冷媒及び冷媒蒸気が通流する蒸発器としての冷媒通流室とし、第２区画体において積層方向で遮蔽板により遮蔽され第２伝熱板側に形成され流体通流室を濃吸収液が通流する吸収器としての吸収液通流室とすることができる。これにより、冷媒通流室の冷媒蒸気は、遮蔽板の両側方部位に形成される一対の連通路から、吸収液通流室の側へ導かれる構成を採用できるから、冷媒蒸気の流路を十分に確保して、冷媒蒸気の流速を低減して、吸収冷凍サイクルの効率を向上できる。
【０００９】
本発明の吸収式冷凍機の更なる特徴構成は、
前記第２区画体において積層方向で前記遮蔽板により遮蔽され前記第２伝熱板側に形成される前記流体通流室は、前記再生器にて再生された濃吸収液が前記流入部から流入して通流する吸収液通流室として構成され、前記第２区画体において積層方向で前記遮蔽板により遮蔽され前記第１伝熱板側に形成される前記流体通流室は、前記凝縮器にて凝縮された冷媒が前記流入部から流入して通流する冷媒通流室として構成され、
一対の前記連通路の夫々は、前記冷媒通流室にて蒸発した冷媒蒸気を、前記吸収液通流室へ導く点にある。
【００１０】
上記特徴構成によれば、第２区画体において積層方向で遮蔽板により遮蔽され第１伝熱板側に形成される流体通流室としての冷媒通流室と、第２区画体において積層方向で遮蔽板により遮蔽され第２伝熱板側に形成される吸収液通流室とを連通する一対の連通路の夫々が、冷媒通流室にて蒸発した冷媒蒸気を通流させることになるから、冷媒通流室から吸収液通流室の側へ導かれる冷媒蒸気の流路面積を十分に確保して、当該冷媒蒸気の流速を適度に低減でき、吸収冷凍サイクルの効率を向上できる。
【００１１】
本発明の吸収式冷凍機の更なる特徴構成は、
前記冷媒通流室へ流体を流入する前記流入部は上下方向で上方側に設けられ、前記冷媒通流室から流体を流出する前記流出部は上下方向で下方側に設けられ、
一対の前記連通路の夫々は、上下方向に延びるスリット状に形成されている点にある。
【００１２】
第２区画体にて区画される第２伝熱板側の流体通流室としての冷媒通流室では、冷媒蒸気は、冷媒がその上方から下方に向けて通流する過程で徐々に蒸発して発生することになる。上記特徴構成によれば、一対の連通路が、冷媒の流れ方向に沿う上下方向に延びるスリット状に形成されているため、冷媒蒸気は、発生に伴って、その側方に形成され上下方向に延びる一対の連通路を介する状態で、吸収液通流室へ導かれることとになり、その通流速度の上昇を良好に抑制できる。
【００１３】
本発明の吸収式冷凍機の更なる特徴構成は、
流体を一時的に貯留可能な貯留空間が、前記第１区画体にて区画される第１貯留空間、前記第２区画体にて区画される第２貯留空間、前記第３区画体にて区画される第３貯留空間として、前記第１貯留空間と前記第２貯留区間と前記第３貯留空間とを連通する状態で設けられ、
前記吸収液通流室は、その下方側にて前記貯留空間に連通接続されている点にある。
【００１４】
上記特徴構成によれば、貯留空間は、第１区画体〜第３区画体にて区画される第１貯留空間と第２貯留空間と第３貯留空間とを連通する状態で設けるため、比較的大容量にできる。当該比較的大容量にした貯留空間に、第２区画体において積層方向で遮蔽板により遮蔽され第２伝熱板側に形成される吸収液通流室を連通することで、当該吸収液通流室にて冷媒蒸気を吸収した希吸収液を十分に貯留することができる。結果、当該希吸収液を循環する循環ポンプに必要な流量を適切に確保して、良好に吸収冷凍サイクルを実行できる。
【００１５】
本発明の吸収式冷凍機の更なる特徴構成は、
前記第１積層体は、前記第１外板と前記第１区画体との間、又は、前記第３区画体と前記第２外板との間に、追加区画体及び追加伝熱板とから成る単位追加体を追加して積層自在に構成され、
前記追加区画体と前記追加伝熱板と前記第１外板、又は、前記追加区画体と前記追加伝熱板と前記第２外板は、追加流体通流室を形成自在に構成されている点にある。
【００１６】
上記特徴構成によれば、第１積層体は、追加区画体及び追加伝熱板から成る単位追加体を追加可能に構成されているから、第１積層体に追加する単位追加体の数を適宜設定することで、発揮し得る冷凍能力を適宜可変にできる。
これにより、冷凍能力に応じて、区画体自体の積層方向での厚みを増加させる必要がなくなるから、区画体にて形成される流体通流室の厚みを抑制できる。結果、例えば、伝熱板から離間した状態で流体通流室を通過する流体流量を低減でき、伝熱板を介した熱交換効率の低下を抑制できる。
【００１７】
本発明の吸収式冷凍機の更なる特徴構成は、
前記第１積層体は、前記第１外板、前記第１区画体、前記第１伝熱板、前記第２区画体、前記第２伝熱板、前記第３区画体、前記第２外板をロウ付けにより互いを接着させて製造され、前記吸収器と前記蒸発器と前記凝縮器として働く第１単位モジュールである点にある。
【００１８】
上記特徴構成の如く、第１積層体を構成する部材を、ロウ付けにより互いを接着させて製造して、第１単位モジュールとすることで、それを単位として吸収式冷凍機を容易に製造できる。
【図面の簡単な説明】
【００１９】
【図１】第１実施形態に係る二重効用吸収式冷凍機の概略構成図
【図２】第１実施形態に係る第１積層体の分解斜視図
【図３】第１実施形態に係る第２積層体の分解斜視図
【図４】第１実施形態に係る第１積層体の概略側断面図
【図５】第１実施形態に係る第１積層体に単位追加体を追加した構成の概略側断面図
【図６】第２実施形態に係る単効用吸収式冷凍機の概略構成図
【図７】第２実施形態に係る第２積層体の分解斜視図
【発明を実施するための形態】
【００２０】
本発明に係る吸収式冷凍機の実施形態について図面に基づいて説明する。
＜第１実施形態＞
当該第１実施形態に係る吸収式冷凍機は、吸収材を臭化リチウム水溶液とし、冷媒を水とした二重効用吸収式冷凍機１００にて構成されている。当該二重効用吸収式冷凍機１００は、再生器１として、バーナ２により冷媒Ａと吸収材との混合液である吸収液Ｋを加熱する高温再生器３とその高温再生器３から供給される吸収液Ｋ２を高温再生器３からの冷媒蒸気Ａ１により加熱する低温再生器４とを備えている。そして、二重効用吸収式冷凍機１００は、冷媒蒸気Ａ１を凝縮させる凝縮器５と、その凝縮器５からの冷媒液Ａ２を蒸発させる蒸発器６と、その蒸発器６からの冷媒蒸気Ａ１を低温再生器４からの吸収液Ｋ３に吸収させる吸収器７とを備えている。
【００２１】
吸収液Ｋが通流する流路として、吸収器７から高温再生器３へ吸収液Ｋ１（低濃度の吸収液）を供給する第１溶液流路Ｒ１と、高温再生器３から低温再生器４へ吸収液Ｋ２（中濃度の吸収液）を供給する第２溶液流路Ｒ２と、低温再生器４から吸収器７へ吸収液Ｋ３（高濃度の吸収液）を供給する第３溶液流路Ｒ３と、第１溶液流路Ｒ１の吸収液Ｋ１を第２溶液流路Ｒ２の吸収液Ｋ２に合流させる第４溶液流路Ｒ４とが備えられている。
【００２２】
冷媒Ａが通流する流路として、低温再生器４にて発生された冷媒蒸気Ａ１を凝縮器５に供給する第１冷媒流路Ｓ１と、凝縮器５にて凝縮された冷媒液Ａ２を蒸発器６に供給する第２冷媒流路Ｓ２と、蒸発器６にて蒸発された冷媒蒸気Ａ１を吸収器７に供給する第３冷媒流路Ｓ３と、低温再生器４からの冷媒液Ａ２を第２冷媒流路Ｓ２の冷媒液Ａ２に合流させる第４冷媒流路Ｓ４と、蒸発器６の冷媒液Ａ２を第１溶液流路Ｒ１の吸収液Ｋ１に合流させる第５冷媒流路Ｓ５とが備えられている。
【００２３】
冷却用流体としての冷却水Ｂが通流する流路として、吸収器７に冷却水Ｂを供給して吸収器７内を通流させた後、凝縮器５に冷却水Ｂを供給して凝縮器５内を通流させる冷却水流路Ｃが備えられている。また、冷房等に用いる冷却用水Ｅが通流する流路として、蒸発器６に冷却用水Ｅを供給して蒸発器６内を通流させた後、冷却用水Ｅを冷房等に用いる箇所に供給する冷却用水流路Ｆが備えられている。
【００２４】
第１溶液流路Ｒ１には、吸収液Ｋ１の通流方向の上流側から順に、低温再生器４から流出した第３溶液流路Ｒ３の吸収液Ｋ３にて第１溶液流路Ｒ１の吸収液Ｋ１を加熱する低温溶液熱交換器８と、高温再生器３から流出した第２溶液流路Ｒ２の吸収液Ｋ２にて第１溶液流路Ｒ１の吸収液Ｋ１を加熱する高温溶液熱交換器９とが備えられている。第４溶液流路Ｒ４には、低温再生器４から流出した冷媒液Ａ２にて第４溶液流路Ｒ４の吸収液Ｋ１を加熱する冷媒熱交換器１０が備えられている。
【００２５】
第１溶液流路Ｒ１において、吸収器７と第４溶液流路Ｒ４との接続箇所との間の部位に溶液ポンプＰ１が備えられている。
【００２６】
第２溶液流路Ｒ２において高温溶液熱交換器９と第４溶液流路Ｒ４との接続箇所との間の部位、第３溶液流路Ｒ３において低温溶液熱交換器８と吸収器７との間の部位、第４溶液流路Ｒ４において冷媒熱交換器１０と第２溶液流路Ｒ２との接続箇所との間の部位、第２冷媒流路Ｓ２において凝縮器５と第４冷媒流路Ｓ４との接続箇所との間の部位、及び、第４冷媒流路Ｓ４において冷媒熱交換器１０と第５冷媒流路Ｓ５との接続箇所との間の部位の夫々には、制限抵抗となる第１〜第５膨張弁Ｄ１〜Ｄ５の夫々が備えられている。外部に設置することも可能であるが、抵抗を固定してもよい場合は内部に設置することが可能である。本実施形態では固定抵抗とし、内部に設けている。
【００２７】
第１実施形態における二重効用吸収式冷凍機１００の動作について説明する。
まず、冷媒Ａの流れについて説明する。
高温再生器３にて吸収液Ｋ１から発生した冷媒蒸気Ａ１を加熱源として低温再生器４にて吸収液Ｋ２から発生した冷媒蒸気Ａ１を、第１冷媒流路Ｓ１により凝縮器５に供給して、凝縮器５において冷媒蒸気Ａ１を凝縮させる。凝縮器５にて凝縮された冷媒液Ａ２を、第２冷媒流路Ｓ２により蒸発器６に供給すると共に、蒸発器６内の冷媒液Ａ２は第５冷媒流路Ｓ５により第１溶液流路Ｒ１の吸収液Ｋ１に混合させる。また、低温再生器４からの冷媒液Ａ２も第４冷媒流路Ｓ４により蒸発器６に供給されており、その冷媒液Ａ２も蒸発器６において蒸発される。そして、蒸発器６にて蒸発された冷媒蒸気Ａ１を、第３冷媒流路Ｓ３により吸収器７に供給し、吸収器７において冷媒蒸気Ａ１が吸収液に吸収させる形態で、吸収器７と蒸発器６の内部を十分に低圧の状態を維持する。
【００２８】
次に、吸収液Ｋの流れについて説明する。
吸収器７にて冷媒蒸気Ａ１が吸収液に吸収された吸収液Ｋ１を、蒸発器６からの冷媒液Ａ２を混合した状態で、第１溶液流路Ｒ１により高温再生器３に供給している。このとき、第１溶液流路Ｒ１で４は、低温溶液熱交換器８と高温溶液熱交換器９９とにより順次吸収液Ｋ１を加熱して、その加熱した吸収液Ｋ１を高温再生器３に供給している。高温再生器３においてバーナ２により吸収液Ｋ１を加熱して、吸収液Ｋ１から冷媒蒸気Ａ１を発生させる。高温再生器３にて冷媒蒸気Ａ１が発生された吸収液Ｋ２を第２溶液流路Ｒ２により低温再生器４に供給している。このとき、第４溶液流路Ｒ４にて供給される吸収液Ｋ１も合流させて、合流後の吸収液Ｋ４を低温再生器４に供給している。低温再生器４において高温再生器３から供給される高温の冷媒蒸気Ａ１にて吸収液Ｋ４を加熱して、吸収液Ｋ４から冷媒蒸気Ａ１を発生させる。低温再生器４にて冷媒蒸気Ａ１が発生された吸収液Ｋ３を第３溶液流路Ｒ３によって吸収器７に供給する。
【００２９】
このように、二重効用吸収式冷凍機１００は、高温再生器３、低温再生器４、凝縮器５、蒸発器６、吸収器７、低温溶液熱交換器８、高温溶液熱交換器９、及び、冷媒熱交換器１０の複数の機器を備えて構成されている。
当該第１実施形態では、二重効用吸収式冷凍機１００を構成する複数の機器のうち、高温再生器３を除く複数の機器、及び、それら複数の機器を接続する流路等が、図１、２、３等に示すように、第１積層体１１と第２積層体１２の２つの積層体から構成されている。
【００３０】
以下、図２〜４に基づいて、第１積層体１１及び第２積層体１２の構成について説明する。
【００３１】
図２、４に示すように、第１積層体１１は、第１外板１８、第１区画体１９、第１伝熱板２０、第２区画体２１、第２伝熱板２２、第３区画体３６、第２外板３７を順に積層して構成されている。第１積層体１１は、第１外板１８、第１区画体１９、第１伝熱板２０、第２区画体２１、第２伝熱板２２、第３区画体３６、第２外板３７の夫々が、平面視（図２でＺ方向視）で長方形状に形成されており、その厚みが薄い薄型に形成されている。そして、第１積層体１１は、第１積層体１１は、第１外板１８、第１区画体１９、第１伝熱板２０、第２区画体２１、第２伝熱板２２、第３区画体３６、第２外板３７を順に積層してロウ付けにより互いに接着させて、第１単位モジュールとして製造される。
【００３２】
図３に示すように、第２積層体１２も、第１積層体１１と同様に、第３外板１３、第４区画体１４、第３伝熱板１５、第５区画体１６、第４外板１７を順に積層して構成されている。第３外板１３、第４区画体１４、第３伝熱板１５、第５区画体１６、第４外板１７の夫々が、平面視（図３でＺ方向視）で長方形状に形成されており、その厚みが薄い薄型に形成されている。そして、第２積層体１２は、第３外板１３、第４区画体１４、第３伝熱板１５、第５区画体１６、第４外板１７を順に積層してロウ付けにより互いを接着させて、第２単位モジュールとして製造される。
【００３３】
第１積層体１１及び第２積層体１２は、第１伝熱板２０、第２伝熱板２２、及び第３伝熱板１５の長手方向（図２、３で、矢印Ｘに沿う方向）を第１積層体１１及び第２積層体１２の上下方向とし、且つ、第１伝熱板２０、第２伝熱板２２、及び第３伝熱板１５の短手方向（図２、３で矢印Ｙに沿う方向）を第１積層体１１及び第２積層体１２の左右方向として縦長形状に形成されている。ここで、以下、第１伝熱板２０、第２伝熱板２２、及び第３伝熱板１５の長手方向を「第１積層体１１及び第２積層体１２の上下方向」とし、第１伝熱板２０、第２伝熱板２２、及び第３伝熱板１５の短手方向を「第１積層体１１及び第２積層体１２の左右方向」として説明する。
【００３４】
図２、４に示すように、第１積層体１１における第１区画体１９、第２区画体２１、第３区画体３６は、第１外板１８と第１伝熱板２０の間の空間、第１伝熱板２０と第２伝熱板２２の間の空間、及び第２伝熱板２２と第２外板の間の空間を複数の空間に区切る枠体にて構成されており、その枠体にて区切られた空間を第１流体通流室２７、第２流体通流室２８、及び第３流体通流室３９として区画形成している。第１区画体１９、第２区画体２１、及び第３区画体３６にて形成される複数の第１流体通流室２７、第２流体通流室２８、及び第３流体通流室３９の夫々には、その内部の流体の流れ方向（図２で黒矢印で示す方向：ただし第２流体通流室２８には紙面の都合上、黒矢印を図示していない）に伝熱面が沿う状態で伝熱フィン（図示せず）が備えられている。ここで、伝熱フィンの形状については、各種の形状が適用可能であり、例えば、波形形状としたり、フィンピッチを変更させたオフセットフィンとしたり、コルゲートフィンとすることができ、また、適用箇所によって使用を変えてもよい。
【００３５】
図３に示すように、第２積層体１２における第４区画体１４及び第５区画体１６も、第１積層体１１の第１区画体１９、第２区画体２１、及び第３区画体３６と同様に、第２外板３７と第３伝熱板１５との間の空間、及び第３伝熱板１５と第４外板１７との間の空間を複数の空間に区切る枠体にて構成されており、その枠体にて区切られた空間を、記載の順に第４流体通流室２５、第５流体通流室２６として区画形成している。図示は省略するが、第４流体通流室２５、及び第５流体通流室２６内の夫々にも、流体の流れ方向（図３で矢印に沿う方向）に伝熱面を沿わせる状態で、伝熱フィンが備えられている。
【００３６】
図２、４に示すように、第１積層体１１において、第１区画体１９により第１外板１８と第１伝熱板２０との間に複数の第１流体通流室２７ａ、２７ｂが第１伝熱板２０に沿う方向で並ぶ形態で区画形成されている。
また、第１積層体１１において、第２区画体２１によって第１伝熱板２０と第２伝熱板２２との間に複数の第２流体通流室２８ａ〜２８ｃが区画形成されており、一部の第２流体通流室２８ａ、２８ｂは、第１伝熱板２０に沿う方向で並ぶ形態で設けられている。また、第２区画体２１には、積層方向（図２、４で矢印Ｚに沿う方向）で第１伝熱板２０側と第２伝熱板２２側との間を遮蔽する遮蔽板４０が設けられており、当該遮蔽板４０を挟んで積層方向で対向する状態で、第２流体通流室２８ｂと第２流体通流室２８ｃとが設けられている。
ここで、第１区画体１９にて区画形成される複数の第１流体通流室２７ａ、２７ｂは、第１伝熱板２０を挟む形態で、第２区画体２１にて区画形成される複数の第２流体通流室２８ａ、２８ｂと対向する状態で区画形成されている。即ち、第１伝熱板２０を挟んで対向する状態で設けられる第１流体通流室２７ａと第２流体通流室２８ａを一組とし、第１流体通流室２７ｂと第２流体通流室２８ｂとを一組とする第１対向室モジュール３０が、第１伝熱板２０に沿う方向に並ぶ形態で複数（第１実施形態では、２つ）形成されている。ここで、第１伝熱板２０に沿う方向とは、第１伝熱板２０の表面に沿った方向で、例えば、図２、４で、矢印Ｘ及び矢印Ｙに沿う方向である。
【００３７】
更に、第１積層体１１は、第３区画体３６により第２伝熱板２２と第２外板３７との間に複数の第３流体通流室３９ａ、３９ｂが第２伝熱板２２に沿う方向で並ぶ形態で区画形成されている。
ここで、第３区画体３６にて区画形成される複数の第３流体通流室３９ａ、３９ｂは、第２伝熱板２２を挟む形態で、第２区画体２１にて区画形成される複数の第２流体通流室２８ａ、２８ｂと対向する状態で区画形成されている。即ち、第１伝熱板２０を挟んで対向する状態で設けられる第３流体通流室３９ａと第２流体通流室２８ａとを一組とし、第３流体通流室３９ｂと第２流体通流室２８ｂとを一組とする第２対向室モジュール４２が、第２伝熱板２２に沿う方向に並ぶ形態で複数（第１実施形態では、２つ）形成されている。ここで、第２伝熱板２２に沿う方向とは、第２伝熱板２２の方面に沿った方向で、例えば、図２、４で、矢印Ｘ及び矢印Ｙに沿う方向である。
【００３８】
図３に示すように、第２積層体１２において、第４区画体１４によって第３外板１３と第３伝熱板１５との間に複数の第４流体通流室２５ａ〜２５ｄが第３伝熱板１５に沿う方向で並ぶ形態で区画形成されている。また、第２積層体１２において、第５区画体１６によって第４外板１７と第３伝熱板１５との間に複数の第５流体通流室２６ａ〜２６ｄが第３伝熱板１５に沿う方向で並ぶ形態で区画形成されている。複数の第４流体通流室２５ａ〜２５ｄの夫々と複数の第５流体通流室２６ａ〜２６ｄの夫々は、第３伝熱板１５を挟んで対向する位置に設けられている。即ち、第３伝熱板１５を挟んで対向位置する第４流体通流室２５と第５流体通流室２６との２つの流体通流室を１組とする第３対向室モジュール２９が第３伝熱板１５に沿う方向で並ぶ形態で複数（当該第１実施形態では４つ）形成されている。ここで、第３伝熱板１５に沿う方向とは、第３伝熱板１５の表面に沿った方向で、例えば、図３中Ｘ方向及びＹ方向としている。
【００３９】
第１積層体１１及び第２積層体１２には、第１流体通流室２７、第２流体通流室２８、第３流体通流室３９、第４流体通流室２５、及び第５流体通流室２６に対して流体を流入可能な流入部３１、及び、それらから流体を排出可能な排出部３２が備えられている。流入部３１及び排出部３２は、区画体や外板を貫通する管通孔を形成することで、第１流体通流室２７、第２流体通流室２８、第３流体通流室３９、第４流体通流室２５、及び第５流体通流室２６の夫々に流体を流入可能及び排出可能に構成されている。
【００４０】
第１積層体１１の第１対向室モジュール３０を、凝縮器５、及び蒸発器６として機能させると共に、第１積層体１１の第２対向室モジュール４２が、凝縮器５。及び吸収器７として機能させるように構成されている。また、第２積層体１２の第３対向室モジュール２９が、低温再生器４、高温溶液熱交換器９、及び低温溶液熱交換器８として機能させる。具体的には、第１積層体１１では、図２、４に示すように、凝縮器５が、第１対向室モジュール３０ａ及び第２対向室モジュール４２ａにて構成されており、蒸発器６が第１対向室モジュール３０ｂにて構成されている。第２積層体１２では、図３に示すように、低温再生器４が第３対向室モジュール２９ａにて構成されており、冷媒熱交換器１０が第３対向室モジュール２９ｂにて構成されており、低温溶液熱交換器８が第３対向室モジュール２９ｃにて構成されており、高温溶液熱交換器９が第３対向室モジュール２９ｄにて構成されている。
【００４１】
図２、４に示すように、第１積層体１１では、第１対向室モジュール３０ａと第２対向室モジュール４２ａとが、第２流体通流室２８ａを共通とする状態で、その上方側に配置されている。また、第１対向室モジュール３０ｂと第２対向室モジュール４２ｂとが、遮蔽板４０を挟んで対向する状態で下方側に配置されている。これにより、第１対向室モジュール３０ａ及び第２対向室モジュール４２ａにて構成される凝縮器５を上方側に配置し、第１対向室モジュール３０ｂにて構成される蒸発器６と、第２対向室モジュール４２ｂにて構成される吸収器７とを、遮蔽板４０を挟んで対向する状態で下方側に配置している。
【００４２】
図３に示すように、第２積層体１２では、第３対向室モジュール２９ａが上方側に配置されており、３つの第３対向室モジュール２９ｂ〜２９ｄが下方側に配置されている。３つの第３対向室モジュール２９ｂ〜２９ｄは、右側（図３で矢印Ｙの先端側）から順に、第３対向室モジュール２９ｂ、第３対向室モジュール２９ｃ、第３対向室モジュール２９ｄに配置されている。これにより、第３対向室モジュール２９ａにて構成される低温再生器４を上方側に配置し、第３対向室モジュール２９ｂにて構成される冷媒熱交換器１０を右下方側に配置し、第３対向室モジュール２９ｃにて構成される低温溶液熱交換器８を下方中央部に配置し、第３対向室モジュール２９ｄにて構成される高温溶液熱交換器９を左下方側に配置している。
【００４３】
図２に示すように、第１積層体１１には、第１区画体１９にて区画形成される第１流体通流室２７と第２区画体２１にて区画形成される第２流体通流室２８と、第３区画体３６にて区画形成される第３流体通流室３９とを連通させるための複数の連通室３３が設けられている。
【００４４】
第１区画体１９において上方側に位置する第１流体通流室２７ａの下方側に、横長状の第６連通室３３ｆが区画形成されている。当該第６連通室３３ｆは、第１伝熱板２０に形成される複数の第２貫通部３４ｂを通して、第２区画体２１において上下方向（図２で矢印Ｘに沿う方向）で中央側で積層方向（図２で矢印Ｚに沿う方向）で第１伝熱板２０側に形成される第２流体通流室２８ｂの上部に連通されている。
【００４５】
第３区画体３６において上方側に位置する第３流体通流室３９ａの下方側に、横長状の第７連通室３３ｇが区画形成されている。当該第７連通室３３ｇは、第２伝熱板２２に形成される複数の第３貫通部３４ｃを通して、第２区画体２１において上下方向（図２で矢印Ｘに沿う方向）で中央側で積層方向（図２で矢印Ｚに沿う方向）で第２伝熱板２２側に形成される第２流体通流室２８ｃの上部に連通されている。
【００４６】
第２区画体２１において、上下方向（図２で矢印Ｘに沿う方向）で中央側で、遮蔽板４０を挟んで積層方向（図２で矢印Ｚに沿う方向）で対向位置に配設される第２流体通流室２８ｂと第２流体通流室２８ｃとの左右方向（図２で矢印Ｙに沿う方向）で両側方部位に一対の連通路として第８連通室３３ｈと第９連通室３３ｉとが設けられている。当該第８連通室３３ｈと第９連通室３３ｉとは、上下方向で、第２流体通流室２８ｂと第２流体通流室２８ｃとに沿って延びるスリット状に形成されている。
更に、積層方向において、第８連通室３３ｈと第９連通室３３ｉとの対向部位には、第１伝熱板２０及び第２伝熱板２２が設けられていないと共に、第１区画体１９には第１０連通室３３ｊ及び第１１連通室３３ｋが夫々設けられ、第３区画体３６には第１２連通室３３ｌ及び第１３連通室３３ｍが夫々設けられている。
【００４７】
第３区画体３６において、上方側に設けられる第３流体通流室３９ａと中央側に設けられる第３流体通流室３９ｂとを繋ぐ第１４連通室３３ｎが設けられると共に、第１区画体１９において、上方側に設けられる第１流体通流室２７ａに繋がる第１５連通室３３ｏが設けられている。当該第１４連通室３３ｎは、第２伝熱板２２に設けられる第３開口部３５ｃ、第２区画体２１に設けられる第４開口部３５ｄ、及び第１伝熱板２０に設けられる第５開口部３５ｆを通して、第１５連通室３３ｏに連通されている。
【００４８】
第２区画体２１において、遮蔽板４０を挟む状態で対向位置する第２流体通流室２８ｂと第２流体通流室２８ｃとの下方側には、遮蔽板４０が設けられていない部位で、第２流体通流室２８ｂと第２流体通流室２８ｃとに連通接続する第２貯留空間４１ｃが設けられている。
第１区画体１９においても、上下方向（図２で矢印Ｘに沿う方向）で中央の第１流体通流室２７ｂの下方側に第１貯留空間４１ｅが設けられ、第３区画体３６においても、上下方向で中央の第３流体通流室３９ｂの下方側に第３貯留空間４１ａが設けられている。第１伝熱板２０には、第１貯留空間４１ｅ及び第２貯留空間４１ｃに対向する位置に第６開口部３５ｇが設けられると共に、第２伝熱板２２には、第２貯留空間４１ｃ及び第３貯留空間４１ａに対向する位置に第７開口部３５ｈが設けられている。これにより、第１貯留空間４１ｅと第２貯留空間４１ｃと第３貯留空間４１ａとを連通接続する状態で、一次的に流体を貯留可能な貯留空間が形成されている。
【００４９】
第２積層体１２では、図３に示すように、第４区画体１４にて区画形成される第４流体通流室２５と第５区画体１６にて区画形成される第５流体通流室２６との間で、流体の行き来がないように第３伝熱板１５で区切るだけでなく、第４区画体１４にて区画形成される第４流体通流室２５と第５区画体１６にて区画形成される第５流体通流室２６とを連通するための連通室３３が複数もけられている。
図３に示すように、第４区画体１４には、第４区画体１４において上方側に位置する第４流体通流室２５ａの上方側に、横長状の第１連通室３３ａが区画形成されている。この第１連通室３３ａは、第３伝熱板１５に形成された複数の第１貫通部３４ａを通して、第５区画体１６において上方側に位置する第５流体通流室２６ａの上端部に連通されている。そして、第１連通室３３ａは、第４区画体１４によって、左下方側に位置する第４流体通流室２５ｄに連通されている。
第４区画体１４には、第４区画体１４において上方側に位置する第４流体通流室２５ａの下方側に、横長状の第２連通室３３ｂが区画形成されている。この第２連通室３３ｂは、第３伝熱板１５に形成された横長状の第１開口部３５ａを通して、第５区画体１６において上方側に位置する第５流体通流室２６ａの下方側部に連通されている。そして、第２連通室３３ｂは、第４区画体１４によって、下方中央部に位置する第４流体通流室２５ｃに連通されている。
【００５０】
また、第２積層体１２では、第４区画体１４において左下方側に位置する第４流体通流室２５ｄと第５区画体１６において右下方側に位置する第５流体通流室２６ｂとを連通するために、第４区画体１４により区画形成された横長状の第３連通室３３ｃ、第３伝熱板１５に形成された第２開口部３５ｂ、第５区画体１６により形成された横長状の第５連通室３３ｅが備えられている。
さらに、第２積層体１２では、第５区画体１６において上方側に位置する第５流体通流室２６ａの左側に、第４区画体１４と第５区画体１６との間に第３伝熱板１５が存在しない部位を有している。これにより、第４区画体１４にて形成される区画空間と第５区画体１６にて形成される区画空間とが合体した第４連通室３３ｄが備えられている。この第４連通室３３ｄは、第５区画体１６によって、上方側に位置する第５流体通流室２６ａに連通されており、上下方向で流体の通流方向が反転する流路状に形成されている。
【００５１】
以下、高温再生器３を除く、凝縮器５、蒸発器６、吸収器７、低温溶液熱交換器８、高温溶液熱交換器９、及び冷媒熱交換器１０の夫々の機器について説明する。
【００５２】
〔凝縮器〕
図１、２、４に示すように、第１積層体１１の上方側に位置する第１対向室モジュール３０ａでは、低温再生器４から流出した冷媒蒸気Ａ１を第１流体通流室２７ａに通流させ、且つ、吸収器７を流出した冷却水Ｂを第２流体通流室２８ａに通流させている。
更に、第１積層体１１の上方側に位置する第２対向室モジュール４２ａでも、低温再生器４から流出した冷媒蒸気Ａ１を第３流体通流室３９ａに通流させ、且つ、吸収器７を流出した冷却水Ｂを第２流体通流室２８ａに通流させている。
即ち、低温再生器４から流出した冷媒蒸気Ａ１を冷却水Ｂにより凝縮させる凝縮器５が、第２流体通流室２８ａが第１対向室モジュール３０ａと第２対向室モジュール４２ａとに共有される状態で、第１対向室モジュール３０ａと第２対向室モジュール４２ａとにより構成されている。
【００５３】
第２流体通流室２８ａに流入させる冷媒蒸気Ａ１は、第４流入部３１ｄにより第２流体通流室２８ａの左上端部に流入されている。第２流体通流室２８ａを通流した冷媒蒸気Ａ１は、冷媒液Ａ２となって、その右下端部に設けられる第５排出部３２ｅにより第１積層体１１の外部に排出されている。
第３流体通流室３９ａに流入させる冷却水Ｂは、第１４連通室３３ｎと第３流体通流室３９ｂとの連通により、第１積層体１１の外部に排出されることなく、第３流体通流室３９ａの左下端部に直接流入されている。当該構成により、後述する吸収器７から凝縮器５に冷却水Ｂを直接流入可能に構成されている。
また、第１流体通流室２７ａに流入させる冷却水Ｂは、第１５連通室３３ｏと第１４連通室３３ｎとの連通により、第１積層体１１の外部に排出されることなく、第１流体通流室２７ａの左下端部に直接流入されている。当該構成により、吸収器７から凝縮器５に冷却水Ｂを直接流入可能に構成されている。
第３流体通流室３９ａ及び第１流体通流室２７ａを通流した冷却水Ｂは、それらの右上端部から、第５排出部３２ｆにより第１積層体１１の外部に排出されている。
【００５４】
〔蒸発器〕
図１、２、４に示すように、第１積層体１１の中央に位置する第１対向室モジュール３０ｂは、凝縮器５及び冷媒熱交換器１０を流出した冷媒液Ａ２を第２流体通流室２８ｂに通流させ、且つ、冷却用水Ｅを第１流体通流室２７ｂに通流させている。これにより、凝縮器５及び冷媒熱交換器１０を流出した冷媒液Ａ２を冷却用水Ｅにより蒸発させる蒸発器６が、第１対向室モジュール３０ｂにて構成されている。
【００５５】
第２流体通流室２８ｂに流入される冷媒液Ａ２は、第１積層体１１の外部にて、凝縮器５及び冷媒熱交換器１０を流出した冷媒液Ａ２が合流されて、横長状の第６連通室３３ｆの中央に流入し、複数の第２貫通部３４ｂを通して、第２流体通流室２８ｂの上端部に流入される。第２流体通流室２８ｂ（冷媒通流室の一例）を通流した冷媒液Ａ２は、冷媒蒸気Ａ１となって、第２流体通流室２８ｂの左右方向（図２で矢印Ｙに沿う方向）で両側方側に設けられる一対の連通路としての第８連通室３３ｈ及び第９連通室３３ｉを通り、第２流体通流室２８ｃ（吸収液通流室の一例）へ流入されている。また、第２流体通流室２８ｂを通流過程において蒸発せず冷媒液Ａ２のままのものは、その下方側の第２貯留空間４１ｃに貯留される。
尚、冷媒蒸気Ａ１は、第１区画体１９の第１０連通室３３ｊ及び第１１連通室３３ｋ、及び第３区画体３６の第１２連通室３３ｌ及び第１３連通室３３ｍを通り、積層方向（図２で矢印Ｚに沿う方向）に通流自在に構成されている。
【００５６】
第１流体通流室２７ｂに流入させる冷却用水Ｅは、第８流入部３１ｈにより第１流体通流室２７ｂの右下端部に流入されている。第１流体通流室２７ｂを通流した冷却用水Ｅは、その右上端部から、第８流出部３２ｈにより第１積層体１１の外部に排出されている。
【００５７】
〔吸収器〕
図１、２、４に示すように、第１積層体１１の中央に位置する第２対向室モジュール４２ｂでは、低温溶液熱交換器８を流出した吸収液Ｋ３及び蒸発器６を流出した冷媒蒸気Ａ１を第２流体通流室２８ｃに通流させ、且つ、冷却水Ｂを第３流体通流室３９ｂに通流させている。これにより、低温溶液熱交換器８を流出した吸収液Ｋ３に蒸発器６を流出した冷媒蒸気Ａ１を吸収させる吸収器７が、第２対向室モジュール４２ｂにて構成されている。
【００５８】
第２流体通流室２８ｃに流入させる吸収液Ｋ３は、第７流入部３１ｇにより第３区画体３６において上下方向（図２で矢印Ｘに沿う方向）で中間に位置して横長状の第７連通室３３ｇの中央部に流入され、その第７連通室３３ｇから複数の第３貫通部３４ｃを通して、第２流体通流室２８ｃの上端部に流入されている。また、第２流体通流室２８ｃに流入される冷媒蒸気Ａ１は、第２流体通流室２８ｃの左右方向（図２で矢印Ｙに沿う方向）で両側方側の一対の連通路としての第８連通室３３ｈと第９連通室３３ｉから、両側方側から中央側へ向けて流入される。つまり、第２流体通流室２８ｂで発生した冷媒蒸気Ａ１が、第１積層体１１の外部へ排出されることなく、第２流体通流室２８ｂ（冷媒通流室の一例）から第２流体通流室２８ｃ（吸収液通流室の一例）に流入されている。そして、第２流体通流室２８ｃを通流する吸収液Ｋ３に冷媒蒸気Ａ１が吸収されている。第２流体通流室２８ｃは、その下方側に形成される貯留空間（第１貯留空間４１ｅ、第２貯留空間４１ｃ、第３貯留空間４１ａとからなる空間）と連通されており、当該貯留空間に、吸収液Ｋ３に冷媒蒸気Ａ１が吸収された吸収液Ｋ１が貯留され、その吸収液Ｋ１が、貯留空間の下端部から、第７排出部３２ｇにより第１積層体１１の外部に排出されている。
【００５９】
第３流体通流室３９ｂに流入させる冷却水Ｂは、第５流入部３１ｅにより第３流体通流室３９ｂの左下端部に流入されている。第３流体通流室３９ｂを通流した冷却水Ｂは、その左上端部から、第１４連通室３３ｎに直接流入されている。
【００６０】
〔低温再生器〕
図１、３に示すように、上方側に位置する第３対向室モジュール２９ａでは、高温再生器３から流出した冷媒蒸気Ａ１を第４流体通流室２５ａに通流させ、且つ、高温溶液熱交換器９から流出した吸収液Ｋ２と冷媒熱交換器１０から流出した吸収液Ｋ１が混合した吸収液Ｋ４を第５流体通流室２６ａに通流させている。これにより、冷媒蒸気Ａ１にて吸収液Ｋ４を加熱して吸収液Ｋ４から冷媒蒸気Ａ１を発生させる低温再生器４が、第３対向室モジュール２９にて構成されている。
【００６１】
第４流体通流室２５ａに流入される冷媒蒸気Ａ１は、第１流入部３１ａにより第４流体通流室２５ａの右上端部に流入されている。第４流体通流室２５ａを通流した冷媒蒸気Ａ１は冷媒液Ａ２となって、その右下端部から、第２積層体１２の外部に排出されることなく、第４流体通流室２５ｂの上端部に直接流入されている。
【００６２】
第５流体通流室２６ａに流入される吸収液Ｋ４は、第４区画体１４において左下方側に位置する第４流体通流室２５ｄから第４区画体１４において上端部に位置する第１連通室３３ａの流入、及び、その第１連通室３３ａからの複数の第１貫通部３４ａを通して、第２積層体１２の外部に排出されることなく、第５流体通流室２６ａの上端部に直接流入されている。これにより、第５流体通流室２６ａが、吸収液Ｋ４を低温再生器４に直接流入可能に構成されている。第５流体通流室２６ａを通流した吸収液Ｋ４は、その左端部から、第５流体通流室２６ａに連通された第４連通室３３ｄに供給されて、その第４連通室３３ｄにて吸収液Ｋ４から冷媒蒸気Ａ１が分離される。このようにして、第４連通室３３ｄは、吸収液Ｋ４から冷媒蒸気Ａ１を分離させる分離室として構成されており、分離された冷媒蒸気Ａ１は、その左上端部から、第１排出部３２ａにより第２積層体１２の外部に排出される。
〔冷媒熱交換器〕
図１、３に示すように、第２積層体１２において右下方側に位置する第３対向室モジュール２９ｂでは、低温再生器４から流出した冷媒液Ａ２を第４流体通流室２５ｂに通流させ、且つ、吸収器７から流出した吸収液Ｋ１を第５流体通流室２６ｂに通流させている。これにより、低温再生器４から流出した冷媒液Ａ２にて吸収器７から流出した吸収液Ｋ１を加熱する冷媒熱交換器１０が、第３対向室モジュール２９ｂにて構成されている。
【００６３】
第４流体通流室２５ｂに流入される冷媒液Ａ２は、第４流体通流室２５ａとの連通により、第２積層体１２の外側に排出されることなく、第４流体通流室２５ｂの上端部に直接流入されている。これにより、第４流体通流室２５ｂが、低温再生器４から冷媒熱交換器１０に冷媒液Ａ２を直接流入可能に構成されている。第４流体通流室２５ｂを通過した冷媒液Ａ２は、その右下端部から、第２排出部３２ｂにより第２積層体１２の外部に排出されている。
【００６４】
第５流体通流室２６ｂに流入される吸収液Ｋ１は、第２流入部３１ｂにより第５流体通流室２６ｂの下端部に流入されている。第５流体通流室２６ｂを通流した吸収液Ｋ１は、その上端部から第５連通室３３ｅに流入し、その第５連通室３３ｅの左端部から第２開口部３５を通して第４区画体１４において上下方向の中央部に位置する第３連通室３３ｃに流入して、第１連通室３３ａの吸収液Ｋ２に合流されている。
【００６５】
〔低温溶液熱交換器〕
図１、３に示すように、第２積層体１２の下方中央部に位置する第３対向室モジュール２９ｃでは、低温再生器４を流出した吸収液Ｋ３を第４流体通流室２５ｃに通流させ、且つ、吸収器７を流出した吸収液Ｋ１を第５流体通流室２６ｃに通流させている。これにより、低温再生器４を流出した吸収液Ｋ３にて吸収器７を流出した吸収液Ｋ１を加熱する低温溶液熱交換器８が、第３対向室モジュール２９ｃにて構成されている。
第４流体通流室２５ｃに流入させる吸収液Ｋ３は、第５区画体１６において上方側に位置する第５流体通流室２６ａの下方側端部から、第２積層体１２の外部に排出されることなく、第１開口部３５ａを通して第４区画体１４においてた上下方向の中央部に位置する第２連通室３３ｂに流入し、その第２連通室３３ｂから第４流体通流室２５ｃの左下端部に直接流入されている。これにより、第４流体通流室２５ｃが、低温再生器４から低温溶液熱交換器８に吸収液Ｋ３を直接流入可能に構成されている。第４流体通流室２５ｃを通流した吸収液Ｋ３は、その右下端部から、第３排出部３２ｃにより第２積層体１２の外部の排出されている。
【００６６】
第５流体通流室２６ｃに流入させる吸収液Ｋ１は、第２流入部３１ｂにより第５流体通流室２６ｃの右下端部に流入されている。第２流入部３１ｂは、第５流体通流室２６ｂと第５流体通流室２６ｂと第５流体通流室２６ｃの両者に吸収液Ｋ１を流入させるために用いられている。第５流体通流室２６ｃを通流した吸収液Ｋ１は、その左上端部から、第２積層体１２の外部に排出されることなくｌ、第５流体通流室２６ｄに直接流入されている。
【００６７】
〔高温溶液熱交換器〕
図１、３に示すように、第２積層体１２の左下方側に位置する第３対向室モジュール２９ｄでは、高温再生器３を流出した吸収液Ｋ２を第４流体通流室２５ｄに通流させ、且つ、低温溶液熱交換器８を流出した吸収液Ｋ１を第５流体通流室２６ｄに通流させている。これにより、高温再生器３を流出した吸収液Ｋ２にて低温溶液熱交換器８を流出した吸収液Ｋ１を加熱する高温溶液熱交換器９が、第３対向室モジュール２９ｄにて構成されている。
【００６８】
第４流体通流室２５ｄに流入させる吸収液Ｋ２は、第３流入部３１ｃにより第４流体通流室２５ｄの左下端部に流入されている。第４流体通流室２５ｄを通流した吸収液Ｋ２は、その右下端部から、第２積層体１２の外部に排出されることなく、第１連通室３３ａに流入されている。
【００６９】
第５流体通流室２６ｄに流入させる吸収液Ｋ１は、第５流体通流室２６ｃとの連通により、第２積層体１２の外部に排出されることなく、第５流体通流室２６ｄの右上端部に直接流入されている。これにより、第５流体通流室２６ｄが、低温溶液熱交換器８から高温溶液熱交換器９に吸収液Ｋ１を直接流入可能に構成されている。第５流体通流室２６ｄを通流した通流した吸収液Ｋ１は、その左下端部から、第４排出部３２ｄにより第２積層体１２の外部に排出されている。
【００７０】
〔単位追加体〕
上述の第１積層体１１において、図５の概略側断面図に示すように、第１外板１８と第１区画体１９の間、又は、第３区画体３６と第２外板３７との間に、追加区画体Ｔ２と追加伝熱板Ｔ１とから成る単位追加体Ｕを追加して積層自在に構成されている。ここで、追加区画体Ｔ２は、第１区画体１９、第２区画体２１、及び第３区画体３６と同様に、複数の空間に区画自在な枠体にて構成されており、その区画空間の夫々に、その伝熱面を流体の流れ方向に沿わせる状態で伝熱フィン（図示せず）が備えられている。
当該単位追加体Ｕを複数追加した第１積層体１１の一例である図５に関し、説明を追加すると、第１外板１８と第１区画体１９の間で、積層方向（図５で矢印Ｚに沿う方向）で第１区画体１９の側には、第１単位追加体Ｕ１が追加されており、その第１追加区画体Ｔ２ａには、上下方向（図５で矢印Ｘに沿う方向）で上方側から、第２区画体２１の第２流体通流室２８ａに対応する追加流体通流室２８ａ'、 第２区画体２１の第２流体通流室２８ｂに対応する追加流体通流室２８ｂ'、及び、貯留空間が、順に区画形成されている。更に、積層方向（図５で矢印Ｚに沿う方向）で第１単位追加体Ｕ１の第１外板１８の側には、第２単位追加体Ｕ２が追加されており、その第２追加区画体Ｔ２ｂには、上下方向で上方側から、第１区画体１９の第１流体通流室２７ａに対応する第２追加流体通流室２７ａ'、第１区画体１９の第６連通室３３ｆに対応する第１追加連通室３３ｆ'、第１区画体１９の第１流体通流室２７ｂに対応する第２追加流体通流室２７ｂ'、及び貯留空間が、順に区画形成されている。
このように、第１単位追加体Ｕ１と第２単位追加体Ｕ２を追加する場合、第１追加流体通流室２８ａ'と第２追加流体通流室２７ａ'、及び第１追加流体通流室２８ｂ'と第２追加流体通流室２７ｂ'が、夫々対向室モジュールを形成して、順に、凝縮器５、蒸発器６として機能する。この意味で、第１単位追加体Ｕ１と第２単位追加体Ｕ２とは、凝縮器５及び蒸発器６として働く単位体と見ることができ、第１単位追加体Ｕ１と第２単位追加体Ｕ２とを合わせて一つの単位体として追加できる。
【００７１】
尚、第１単位追加体Ｕ１の第１追加流体通流室２８ａ'、２８ｂ'は、第１区画体１９の第１流体通流室２７ａ、２７ｂの夫々とも、対向室モジュールを形成するように構成されている。従って、第２単位追加体Ｕ２を追加せず第１単位追加体Ｕ１のみを追加する構成を採用した場合でも、第１単位追加体Ｕ１は、第１区画体１９と対向室モジュールを形成して、凝縮器５及び蒸発器６としての機能を発揮する。
同様の意味で、第２単位追加体Ｕ２と第１外板１８との間には、第１単位追加体Ｕ１と同一の第３単位追加体Ｕ３を追加している。
【００７２】
一方、第３区画体３６と第２外板３７との間で、積層方向（図５で矢印Ｚに沿う方向）で第１区画体１９の側には、第４単位追加体Ｕ４が追加されており、その第４追加区画体Ｔ２ｃには、上下方向（図５で矢印Ｘに沿う方向）で上方側から、第２区画体２１の第２流体通流室２８ａに対応する追加流体通流室２８ａ'、 第２区画体２１の第２流体通流室２８ｃに対応する追加流体通流室２８ｃ'、及び貯留空間が、順に区画形成されている。更に、積層方向（図５で矢印Ｚに沿う方向）で第４単位追加体Ｕ４の第２外板３７の側には、第５単位追加体Ｕ５が追加されており、その第５追加区画体Ｔ２ｄには、上下方向で上方側から、第３区画体３６の第３流体通流室３９ａに対応する第５追加流体通流室３９ａ'、第３区画体３６の第７連通室３３ｇに対応する第２追加連通室３３ｇ'、第３区画体３６の第３流体通流室３９ｂに対応する第５追加流体通流室３９ｂ'、及び貯留空間が、順に区画形成されている。
このように、第４単位追加体Ｕ４と第５単位追加体Ｕ５を追加する場合、第４追加流体通流室２８ａ'と第５追加流体通流室３９ａ'、及び第４追加流体通流室２８ｃ'と第５追加流体通流室３９ｂ'が、夫々対向室モジュールを形成して、順に、凝縮器５、吸収器７として機能する。この意味で、第４単位追加体Ｕ４と第５単位追加体Ｕ５とは、凝縮器５及び吸収器７として働く単位体と見ることができ、第４単位追加体Ｕ４と第５単位追加体Ｕ５とを合わせて一つの単位体として追加できる。
【００７３】
尚、第４単位追加体Ｕ４の第４追加流体通流室２８ａ'、２８ｃ'は、第３区画体３６の第３流体通流室３９ａ、３９ｂの夫々とも、対向室モジュールを形成するように構成されている。従って、第５単位追加体Ｕ５を追加せず第４単位追加体Ｕ４のみを追加する構成を採用した場合でも、第４単位追加体Ｕ４は、第３区画体３６と対向室モジュールを形成して、凝縮器５及び吸収器７としての機能を発揮する。
このように、所望の冷凍能力に応じて、順次単位追加体を追加することができ、図５に示す形態においては、第５単位追加体Ｕ５と第２外板３７との間に、第６〜第８単位追加体Ｕ６〜Ｕ８を追加している。
尚、第１積層体１１にあっては、上述したように、各区画体に設けられる一対の連通路を通って、積層方向（図５で矢印Ｚに沿う方向）で、蒸発器６にて発生した冷媒蒸気Ａ１が移動自在に構成されている。これにより、積層化された蒸発器６の夫々にて発生した冷媒蒸気Ａ１は、積層化された吸収器７の夫々の吸収液Ｋに吸収可能となっている。
【００７４】
また、図示は省略するが、第２積層体１２についても、第１積層体１１と同様に、第３外板１３と第４区画体１４との間、又は、第５区画体１６と第４外板１７との間に、追加区画体及び追加伝熱板からなる単位追加体を追加して積層自在に構成されている。当該追加区画体も、第４区画体１４や第５区画体１６と同様に、複数の空間に区画自在な枠体にて構成されており、その区画空間の夫々に、その伝熱面を流体の流れ方向に沿わせる状態で伝熱フィン（図示せず）が備えられる。これにより、単位追加体を必要に応じて追加して積層させて第２積層体１２を構成することにより、求められる冷凍能力に的確に対応することができる。
【００７５】
このようにして、第２積層体１２と第１積層体１１とによって、高温再生器３を除く、低温再生器４、凝縮器５、蒸発器６、吸収器７、低温溶液熱交換器８、高温溶液熱交換器９、及び、冷媒熱交換器１０を構成することができる。
【００７６】
＜第２実施形態＞
上記第１実施形態では、吸収式冷凍機を二重効用吸収式冷凍機１００にて構成しているが、この第２実施形態では、吸収式冷凍機を単効用吸収式冷凍機１０１にて構成している。この第２実施形態における単効用吸収式冷凍機１０１でも、吸収剤を臭化リチウム水溶液とし、冷媒を水としている。単効用吸収式冷凍機１０１は、二重効用吸収式冷凍機１００に対して、構成する機器の数等が異なるだけであり、第１積層体に関しては、第１実施形態と実質的に同一の構成であるので、この第２実施形態では、第２積層体にて構成する機器について中心に説明し、その他の構成については簡単に説明する。
【００７７】
この単効用吸収式冷凍機１０１では、図６に示すように、再生器として、加熱温水Ｇを熱源として吸収液Ｋから冷媒蒸気Ａ３を発生させる再生器１を１つ備えているだけであり、溶液熱交換器についても、再生器１から流出した吸収液Ｋにて吸収器７を流出した吸収液Ｋを加熱する溶液熱交換器５０の１つを備えているだけである。
【００７８】
吸収液Ｋが通流する流路として、吸収器７から再生器１へ吸収液Ｋ５（低濃度の吸収液）を供給する第５溶液流路Ｒ５と、再生器１から吸収器７へ吸収液Ｋ６（高濃度の吸収液）を供給する第６溶液流路Ｒ６とが備えられている。
【００７９】
冷媒Ａが通流する流路として、再生器１にて発生された冷媒蒸気Ａ３を凝縮器５に供給する第６冷媒流路Ｓ６と、凝縮器５にて凝縮された冷媒液Ａ４を蒸発器６に供給する第７冷媒流路Ｓ７と、蒸発器６にて蒸発された冷媒蒸気Ａ３を吸収器７に供給する第８冷媒流路Ｓ８とが備えられている。第７冷媒流路Ｓ７の途中部位に、第６膨張弁Ｄ６が備えられており、第６溶液流路Ｒ６において溶液熱交換器５０と吸収器７との間の部位に、第７膨張弁Ｄ７が備えられている。
冷却水Ｂが通流する冷却水流路Ｃ、及び、冷却用水Ｅが通流する冷却用水流路Ｆについては、上記第１実施形態と同様であるが、再生器１に加熱温水Ｇを供給する加熱温水流路Ｈが備えられている。
【００８０】
第２実施形態における単効用吸収式冷凍機１０１の動作について説明する。
まず、冷媒Ａの流れについて説明する。
再生器１にて吸収液Ｋ５から発生した冷媒蒸気Ａ３を、第６冷媒流路Ｓ６により凝縮器５に供給して、凝縮器５において冷媒蒸気Ａ３を凝縮させる。凝縮器５にて凝縮された冷媒液Ａ４を、第７冷媒流路Ｓ７により蒸発器６に供給して、蒸発器６において冷媒液Ａ４を蒸発させる。そして、蒸発器６にて蒸発された冷媒蒸気Ａ３を、第８冷媒流路Ｒ８により吸収器７に供給して、吸収器７において冷媒蒸気Ａ３が吸収剤に吸収されて吸収液となる。
【００８１】
次に、吸収液Ｋの流れについて説明する。
吸収器７にて冷媒蒸気Ａ３が吸収剤に吸収された吸収液Ｋ５を、第５溶液流路Ｒ５により再生器１に供給している。このとき、第５溶液流路Ｒ５では、第６溶液流路Ｒ６の吸収液Ｋ６にて吸収液Ｋ５を加熱しており、その加熱された吸収液Ｋ５を再生器１に供給している。再生器１において加熱温水Ｇにより吸収液Ｋ５を加熱して、吸収液Ｋ５から冷媒蒸気Ａ３を発生させる。再生器１にて冷媒蒸気Ａ３が発生された吸収液Ｋ６を第６溶液流路Ｒ６により吸収器７に供給している。
【００８２】
このように、単効用吸収式冷凍機１０１は、再生器１、凝縮器５、蒸発器６、吸収器７、溶液熱交換器５０の複数の機器を備えて構成されている。この第２実施形態では、単効用吸収式冷凍機１０１を構成する複数の機器、及び、それら複数の機器を接続する流路等が、第１積層体５１と第２積層体５２の２つの積層体から構成されている。上述したように、蒸発器６、吸収器７、及び、凝縮器５が、第１積層体５１にて構成されており、当該構成については、上記第１実施形態と変わるところがない。
【００８３】
上記第１実施形態と同様に、図７に示すように、第２積層体５２は、第３外板５３、第４区画体５４、第３伝熱板５５、第５区画体５６、第４外板５７を順に積層して構成されている。
【００８４】
以下、第３伝熱板５５の長手方向（図７中Ｘ方向）を「第２積層体５２の上下方向」とし、第３伝熱板５５及び第２伝熱板６０の短手方向（図７中Ｙ方向）を「第２積層体５２の左右方向」として説明する。
【００８５】
図７に示すように、第２積層体５２では、第４区画体５４により第４流体通流室６５ａ，６５ｂが区画形成されるとともに、第５区画体５６により第５流体通流室６６ａ，６６ｂが区画形成されており、第３対向室モジュール６９として、１組目及び２組目の２つの第３対向室モジュール６９ａ、６９ｂが形成されている。
【００８６】
以下、第４流体通流室６５及び第５流体通流室６６については、複数の第３対向室モジュール６９ａ，６９ｂのどちらの組に属するかに対応して添え字をａ，ｂの何れかを付記する。例えば、１組目の第３対向室モジュール６９ａに属する第４流体通流室６５及び第５流体通流室６６は、第４流体通流室６５ａ及び第５流体通流室６６ａとする。
【００８７】
再生器１、及び、溶液熱交換器５０が、第２積層体５２の第３対向室モジュール６９にて構成されている。具体的には、図７に示すように、第２積層体５２では、再生器１が１組目の第３対向室モジュール６９ａにて構成されており、溶液熱交換器５０が２組目の第３対向室モジュール６９ｂにて構成されている。
【００８８】
図７に示すように、第２積層体５２では、１組目の第３対向室モジュール６９ａが上方側に配置されており、２組目の第３対向室モジュール６９が下方側に配置されている。これにより、１組目の第３対向室モジュール６９ａにて構成される再生器１を上方側に配置し、２組目の第３対向室モジュール６９ｂにて構成される溶液熱交換器５０を下方側に配置している。
【００８９】
この第２実施形態においても、上記第１実施形態と同様に、第２積層体５２において、第４区画体５４にて区画形成される第４流体通流室６５と第５区画体５６にて区画形成される第５流体通流室６６とを連通するための連通室７３が複数備えられている。
【００９０】
図７に示すように、第２積層体５２において、第４区画体５４において上方側に位置する第４流体通流室６５ａの右側には、縦長状の第１連通室７３ａが区画形成されている。この第１連通室７３ａは、第１連通室７３ａの上端部が、第３伝熱板５５に形成された第２開口部７５ｂを通して、第５区画体５６にて上端部に形成された横長状の第２連通室７３ｂの右端部に連通されているとともに、第１連通室７３ａの下端部が、第３伝熱板５５に形成された第１開口部７５ａを通して、第５区画体５６にて上下方向の中間部に形成された横長状の第３連通室７３ｃの右端部に連通されている。
【００９１】
また、第２積層体５２では、第４区画体５４において上方側に位置する第４流体通流室６５ａの左側に、第４区画体５４と第５区画体５６との間に第３伝熱板５５が存在しない部位を有している。これにより、第４区画体５４にて形成される区画空間と第５区画体５６にて形成される区画空間とが合体した第４連通室７３ｄが備えられている。この第４連通室７３ｄは、第４区画体５４によって、上方側に位置する第４流体通流室６５ａに連通されており、上下方向で流体の通流方向が上方側と下方側とに分岐された流路状に形成されている。
【００９２】
以下、第２積層体５２にて構成される再生器１、溶液熱交換器５０の夫々の機器について説明する。
【００９３】
〔再生器〕
図６，７に示すように、上方側に位置する１組目の第３対向室モジュール６９ａでは、溶液熱交換器５０から流出した吸収液Ｋ５を第４流体通流室６５ａに通流させ、且つ、加熱温水Ｇを第５流体通流室６６ａに通流させている。これにより、加熱温水Ｇにて吸収液Ｋ５を加熱して吸収液Ｋ５から冷媒蒸気Ａ３を発生させる再生器１が、１組目の第３対向室モジュール６９ａにて構成されている。
【００９４】
第４流体通流室６５ａに流入される吸収液Ｋ５は、第５区画体５６において上下方向の中間部に位置する第３連通室７３ｃから、第２積層体５２の外部に排出されることなく、第１開口部７５ａを通して第４区画体５４において右端部に位置する第１連通室７３ａの下端部に流入し、その第１連通室７３ａの上端部から、第２開口部７５ｂを通して第５区画体５６の上端部に位置する第２連通室７３ｂに流入し、その第２連通室７３ｂから、複数の第１貫通孔部７４ａを通して、第４流体通流室６５ａの上端部に直接流入されている。これにより、第４流体通流室６５ａが直接流入用流体通流室として構成されており、溶液熱交換器５０から再生器１に吸収液Ｋ５を直接流入可能に構成されている。第４流体通流室６５ａを通流した吸収液Ｋ５は、その左端部から、第１流体通流室６ａに連通された第４連通室７３ｄに供給されて、その第４連通室７３ｄにて吸収液Ｋ５から冷媒蒸気Ａ１が分離される。このようにして、第４連通室３３ｄは、吸収液Ｋ１から冷媒蒸気Ａ３を分離させる分離室として構成されており、分離された冷媒蒸気Ａ３は、第４連通室３３ｄの左上端部から、第１排出部７２ａにより第２積層体５２の外部に排出されている。
【００９５】
第５流体通流室６６ａに流入される加熱温水Ｇは、第１流入部７１ａにより第５流体通流室６６ａの右下端部に流入されている。第５流体通流室６６ａを通流した加熱温水Ｇは、その右上端部から、第２排出部７２ｂにより第２積層体５２の外部に排出されている。
【００９６】
〔溶液熱交換器〕
図６，７に示すように、下方側に位置する２組目の第３対向室モジュール６９ｂでは、再生器１から流出した吸収液Ｋ６を第４流体通流室６５ｂに通流させ、且つ、吸収器７を流出した吸収液Ｋ５を第５流体通流室６６ｂに通流させている。これにより、再生器１から流出した吸収液Ｋ６にて吸収器７を流出した吸収液Ｋ５を加熱する溶液熱交換器５０が、２組目の第３対向室モジュール６９ｂにて構成されている。
【００９７】
第４流体通流室６５ｂに流入される吸収液Ｋ６は、第４区画体５４の左側に位置する第４連通室７３ｄを通して、第２積層体５２の外部に排出されることなく、第４流体通流室６５ｂの左下端部に流入されている。これにより、第４流体通流室６５ｂが直接流入用流体通流室として構成されており、再生器１から溶液熱交換器５０に吸収液Ｋ６を直接流入可能に構成されている。第４流体通流室６５ｂを通流した吸収液Ｋ６は、その右上端部から、第３排出部７２ｃにより第２積層体５２の外部に排出されている。
【００９８】
第５流体通流室６６ｂに流入される吸収液Ｋ５は、第２流入部７１ｂにより第５流体通流室６６ｂの右下端部に流入されている。第５流体通流室６６ｂを通流した吸収液Ｋ５は、その左上端部から第３連通室７３ｃに流入し、その第３連通室７３ｃの右端部から第１開口部７５ａを通して第４区画体５４において右端部に位置する第１連通室７３ａに流入し、その第１連通室７３ａから複数の第１貫通孔部７４ａを通して第４流体通流室６５ａの上端部に直接流入されている。
【００９９】
この第２実施形態においても、上記第１実施形態と同様に、第２積層体５２において、第１追加区画体及び第１追加伝熱板の第１単位追加体を追加して積層自在に構成されている。第１積層体５１において、第２追加区画体及び第２追加伝熱板の第２単位追加体を追加して積層自在に構成されている。
【０１００】
このようにして、第２積層体５２と第１積層体５１とによって、再生器１、凝縮器５、蒸発器６、吸収器７、溶液熱交換器５０を構成することができる。
【０１０１】
＜別実施形態＞
（１）第１実施形態に係る二重効用吸収式冷凍機１００にあっては、冷媒熱交換器１０を備えた回路を示しているが、当該冷媒熱交換器１０をなくし、低温再生器４で熱が奪われた高温再生器３からの冷媒蒸気Ａ１を凝縮器５を経由して蒸発器６に入れる回路を採用しても構わない。
【０１０２】
（２）上記第１実施形態では、二重効用吸収式冷凍機１００を例示し、上記第２実施形態では、単効用吸収式冷凍機１０１を例示したが、その他、各種の吸収式冷凍機に適応することができる。
また、複数の機器のうち、第２積層体１２にてどの機器を構成するか、第１積層体１１にてどの機器を構成するのかについては、適宜変更可能であり、上記第１及び第２実施形態にて示したものに限るものではない。
【０１０３】
（３）上記実施形態では、第１積層体１１の製造方法として、第１外板１８、第１区画体１９、第１伝熱板２０、第２区画体２１、第２伝熱板２２、第３区画体３６、第２外板３７を順に積層して互いに接着させて製造する例を示した。しかしながら、別の構成例として、第１外板１８、第１区画体１９、第１伝熱板２０、第２区画体２１、第２伝熱板２２、第３区画体３６、第２外板３７を順に積層してパッキン等により互いに接合することもできる。このようにパッキン等により接合すると、第１積層体を分解して点検作業を行うことが可能となる。
また、第２積層体１２についても、第１積層体１１と同様に、パッキン等により接合することもできる。
【０１０４】
（４）上記第１及び第２実施形態において、第１積層体１１、第２積層体１２にて形成する対向室モジュールの数については、適宜変更が可能であり、上記第１及び第２実施形態にて示したものに限るものではない。
【０１０５】
（５）上記第１及び第２実施形態では、吸収器７に冷却水Ｂを供給して吸収液と冷媒蒸気とを混合させているが、例えば、吸収器７に戻す吸収液を冷却水等の冷却用流体にて冷却させる溶液冷却用熱交換器を吸収器７とは別に備え、その溶液冷却用熱交換器を流出した吸収液を吸収器７に供給してその吸収液と冷媒蒸気とを混合させることもできる。
【産業上の利用可能性】
【０１０６】
本発明の吸収式冷凍機は、積層体にて形成される複数の区画室から少なくとも吸収器と蒸発器とを構成する吸収式冷凍機において、冷媒蒸気の流速を低減でき、吸収冷凍サイクルの効率を向上できる吸収式冷凍機として、有効に利用可能である。
【符号の説明】
【０１０７】
１        ：再生器
３        ：高温再生器
４        ：低温再生器
５        ：凝縮器
６        ：蒸発器
７        ：吸収器
８        ：低温溶液熱交換器
９        ：高温溶液熱交換器
１０      ：冷媒熱交換器
１１      ：第１積層体
１２      ：第２積層体
１３      ：第３外板
１４      ：第４区画体
１５      ：第３伝熱板
１６      ：第５区画体
１７      ：第４外板
１８      ：第１外板
１９      ：第１区画体
２０      ：第１伝熱板
２１      ：第２区画体
２２      ：第２伝熱板
２９      ：第３対向室モジュール
３０      ：第１対向室モジュール
３１      ：流入部
３２      ：排出部
３６      ：第３区画体
３７      ：第２外板
４０      ：遮蔽板
４１ａ    ：第３貯留空間
４１ｃ    ：第２貯留空間
４１ｅ    ：第１貯留空間
４２      ：第２対向室モジュール
５０      ：溶液熱交換器
５１      ：第１積層体
５２      ：第２積層体
５３      ：第１外板
５４      ：第１区画体
５５      ：第１伝熱板
５６      ：第２区画体
５７      ：第２外板
６０      ：第２伝熱板
６９      ：第３対向室モジュール
Ａ        ：冷媒
Ｋ        ：吸収液
Ｔ１      ：追加伝熱板
Ｔ２      ：追加区画体
Ｕ        ：単位追加体
【図１】
2015175571.tif 000003
【図２】
2015175571.tif 000004
【図３】
2015175571.tif 000005
【図４】
2015175571.tif 000006
【図５】
2015175571.tif 000007
【図６】
2015175571.tif 000008
【図７】
2015175571.tif 000009